(57)【要約】【課題】  片流れ屋根の破風下地板への墨打ちにおいて、簡単な構造でありながら、破風下地板に棟覆い部材の取り付け位置を簡便かつ正確に墨打ちすることができる新しい墨打ち治具を提供すること。また、片流れ屋根の破風下地板への墨打ちにおいて、上記の墨打ち治具を用いた、破風下地板に棟覆い部材の取り付け位置を簡便かつ正確に墨打ちすることができる新しい墨打ち方法を提供すること。【解決手段】  野地板３または野地板３の上面に設けられる保護シート３ｂと当接する当接板部１１と、破風下地板４の上端部４ａを収納する収納部１２と、破風下地板４において野地板３とは反対側に位置する一面４ｂと当接する起立板部１３とを備え、起立板部１３は、一対の対向する端縁１３ｂを有し、この両端縁１３ｂに墨打ちを行うための基準ガイド１３ａが設けられている。【選択図】図１
2018017013.tif 000002
【特許請求の範囲】
【請求項１】
棟側端部から軒側端部に向かって斜め下方に傾斜する片流れ屋根において、前記棟側端部に対して鉛直上方に延び、かつ前記片流れ屋根を形成する野地板の表面より上方に突出する上端部を有する破風下地板に棟覆い部材を固定する基準位置を墨付けするための墨打ち治具であって、
前記野地板または前記野地板の上面に設けられる保護シートと当接する当接板部と、前記破風下地板の上端部を収納する収納部と、前記破風下地板において前記野地板とは反対側に位置する一面と当接する起立板部とを備え、
前記起立板部は、一対の対向する端縁を有し、この両端縁に墨打ちを行うための基準ガイドが設けられていることを特徴とする墨打ち治具。
【請求項２】
前記収納部は、対向する一対の側板部を有する断面Ｕ字型の形状を有し、前記当接板部は、前記側板部の一方の端縁に接続され、前記当接板部と前記側板部の一方との接続部は、墨打ちする際に、前記野地板の棟側端より上方に位置し、かつ前記破風下地板の前記上端部の高さ以内に配置されることを特徴とする請求項１に記載の片流れ屋根の破風下地板への墨打ち治具。
【請求項３】
請求項１または２に記載の墨打ち治具を用いた片流れ屋根の破風下地板への墨打ち方法であって、
前記墨打ち治具の前記収納部を前記破風下地板の前記上端部に差し込み、前記当接板部の裏面と前記野地板の前記表面または前記保護シートの表面とを当接させ、かつ前記起立板部の表面と前記破風下地板における前記野地板とは反対側に位置する前記一面とを当接させて配置し、前記起立板部の一対の対向する端縁に設けられた前記基準ガイド位置に前記破風下地板に墨打ちすることを特徴とする墨打ち方法。
【発明の詳細な説明】
【技術分野】
【０００１】
本発明は、墨打ち治具およびそれを用いた墨打ち方法に関する。
【背景技術】
【０００２】
建物の屋根構造の一つに、一方向にのみ勾配を有する屋根を形成した片流れ屋根がある。従来より、片流れ屋根では、野地板等の屋根の下地材に屋根材が設置され、棟部に破風板や棟覆い部材が設置される。このとき、破風下地板には、破風板や棟覆い部材の垂下片等がビスや釘等の固定具を用いて取り付けられ、固定されている（例えば、特許文献１参照）。
【０００３】
従来、このような片流れ屋根において破風下地板への棟覆い部材等の取り付けに際しては、施工現場において野地板表面の延長線と破風下地板との仮想交点として割り出した棟心からの寸法から、破風下地板に棟覆い部材の取り付け位置の墨打ちを行っている。具体的には、野地板表面から延伸した第１の金尺と、破風下地板において野地板とは反対側に位置する一面から延伸した第２の金尺との交点を棟心と仮定している。
【０００４】
しかしながら、仮想交点である棟心を基準点として墨打ちすることは容易ではなく、墨打ち線が水平でない等の寸法誤差が生じやすかった。
【先行技術文献】
【特許文献】
【０００５】
【特許文献１】特開２０１５−６８０９５号公報
【発明の概要】
【発明が解決しようとする課題】
【０００６】
本発明は、このような従来の問題点に鑑みてなされたものであり、片流れ屋根の破風下地板への墨打ちにおいて、簡単な構造でありながら、破風下地板に棟覆い部材の取り付け位置を簡便かつ正確に墨打ちすることを可能とする新しい墨打ち治具を提供することを課題とする。
【０００７】
また、本発明は、片流れ屋根の破風下地板への墨打ちにおいて、上記の墨打ち治具を用いた、破風下地板に棟覆い部材の取り付け位置を簡便かつ正確に墨打ちすることができる新しい墨打ち方法を提供することも課題とする。
【課題を解決するための手段】
【０００８】
上記の課題を解決するために、本発明の墨打ち治具は、棟側端部から軒側端部に向かって斜め下方に傾斜する片流れ屋根において、前記棟側端部に対して鉛直上方に延び、かつ前記片流れ屋根を形成する野地板の表面より上方に突出する上端部を有する破風下地板に棟覆い部材を固定する基準位置を墨付けするための墨打ち治具であって、前記野地板または前記野地板の上面に設けられる保護シートと当接する当接板部と、前記破風下地板の上端部を収納する収納部と、前記破風下地板において前記野地板とは反対側に位置する一面と当接する起立板部とを備え、前記起立板部は、一対の対向する端縁を有し、この両端縁に墨打ちを行うための基準ガイドが設けられていることを特徴とする。
【０００９】
本発明の墨打ち方法は、上記の墨打ち治具を用いた片流れ屋根の破風下地板への墨打ち方法であって、前記墨打ち治具の前記収納部を前記破風下地板の前記上端部に差し込み、前記当接板部の裏面と前記野地板の前記表面または前記保護シートの表面とを当接させ、かつ前記起立板部の表面と前記破風下地板における前記野地板とは反対側に位置する前記一面とを当接させて配置し、前記起立板部の一対の対向する端縁に設けられた前記基準ガイド位置に前記破風下地板に墨打ちすることを特徴とする。
【発明の効果】
【００１０】
本発明の墨打ち治具によれば、片流れ屋根の破風下地板への墨打ちにおいて、簡単な構造でありながら、破風下地板に棟覆い部材の取り付け位置を簡便かつ正確に墨打ちすることができる。
【００１１】
また、本発明の墨打ち方法によれば、片流れ屋根の破風下地板への墨打ちにおいて、破風下地板に棟覆い部材の取り付け位置を簡便かつ正確に墨打ちすることができる。
【図面の簡単な説明】
【００１２】
【図１】本発明の墨打ち治具の一実施形態について片流れ屋根の破風下地板への取り付け状態を示す縦断面図である。
【図２】本発明の墨打ち治具の一実施形態について片流れ屋根の破風下地板への取り付け状態を示す背面図である。
【図３】図１、２の墨打ち治具を用いた本発明の墨打ち方法の一実施形態について示す分解斜視図である。
【発明を実施するための形態】
【００１３】
以下に、本発明の墨打ち治具について、図面に沿って詳細に説明する。
【００１４】
図１は、本発明の墨打ち治具の一実施形態について片流れ屋根の破風下地板への取り付け状態を示す縦断面図である。
【００１５】
墨打ち治具１は、棟側端部２ａから軒側端部に向かって斜め下方に傾斜する片流れ屋根２において、棟側端部２ａに対して鉛直上方に延び、かつ片流れ屋根２を形成する野地板３の表面３ａより上方に突出する上端部４ａを有する破風下地板４に棟覆い部材５を固定する基準位置を墨付けするための治具である。
【００１６】
墨打ち治具１は、野地板３または野地板３の上面に設けられる保護シート３ｂと当接する当接板部１１と、破風下地板４の上端部４ａを収納する収納部１２と、破風下地板４において野地板３とは反対側に位置する一面４ｂと当接する起立板部１３とを備えることを特徴としている。また、墨打ち治具１では、起立板部１３は、一対の対向する端縁１３ｂを有し、この両端縁１３ｂに墨打ちを行うための基準ガイド１３ａが設けられていることを特徴としている。
【００１７】
墨打ち治具１では、収納部１２は、対向する一対の側板部１２ａ、１２ｂと水平面部１２ｃを有する断面Ｕ字型の形状を有することが好ましく考慮される。当接板部１１は、側板部１２ａの一方の端縁に接続され、当接板部１１と側板部１２ａの一方との接続部は、墨打ちする際に、野地板３の棟側端３ｃより上方に位置し、かつ破風下地板４の上端部４ａの高さ以内に配置されることが好ましく考慮される。
【００１８】
墨打ち治具１は、当接板部１１に相当する板材、収納部１２を構成する板材、および起立板部１３に相当する板材を溶接や接着等の方法により接合、一体化したり、一枚の板材を折り曲げ加工したり、樹脂材料を成形することにより得られる。
【００１９】
当接板部１１は、収納部１２の対向する一対の側板部１２ａの端縁に角度αをなすように接続されており、当接板部１１の勾配は屋根勾配と同一の勾配であることが好ましく考慮される。当接板部１１の勾配が、屋根勾配と同一の勾配であることにより、野地板３の表面３ａまたは野地板３の上面に設けられる保護シート３ｂの表面と当接板部１１の裏面１１ａとが当接し、隙間なく相互に面接触することができ、墨打ち治具１のズレが抑制される。角度αは、屋根勾配ごとに設定されており、あらかじめ屋根勾配に応じて固有の角度αをなす当接板部１１を有する墨打ち治具１を個別に設計して、準備することが好ましい。
【００２０】
当接板部１１の裏面１１ａと野地板３の表面３ａまたは保護シート３ｂの表面とが当接すると、野地板３により当接板部１１が裏面１１ａ側から面で支持されるため、墨打ち治具１はそれ以上鉛直方向下向きに移動することはなく安定する。接板部１１と側板部１２ａの一方との接続部は、墨打ちする際に、野地板３の棟側端３ｃより上方に位置し、かつ破風下地板４の上端部４ａの高さ以内に配置されるので、破風下地板４の上端部４ａが収納部１２に収納される。
【００２１】
収納部１２は、対向する一対の側板部１２ａ、１２ｂと水平面部１２ｃを有する断面Ｕ字型の形状を有しており、水平面部１２ｃの軒側の端部おいて側板部１２ａと接続され、水平面部１２ｃの棟側の端部において側壁板１２ｂと接続されている。
【００２２】
収納部１２を、破風下地板４の上端部４ａに差し込むことによって、対向する一対の側板部１２ａ、１２ｂとが破風下地板４の野地板側に位置する一面４ｃおよび野地板とは反対側に位置する一面４ｂに当接して破風下地板４を前後から確実に挟持することができる。
【００２３】
収納部１２の対向する一対の側板部１２ａ、１２ｂ間の幅Ｗは、破風下地板４の軒棟方向における厚さｗよりわずかに大きく、破風下地板４と収納部１２の対向する一対の側板部１２ａ、１２ｂの間に微小寸法のクリアランスが確保される。このようなクリアランスが確保されているため、墨打ち治具１の収納部１２を、破風下地板４の上端部４ａに差し込むことが可能であり、しかも収納部１２のがたつきや、墨打ち治具１の予期せぬ移動を抑制することができる。このため、破風下地板４に棟覆い部材５の取り付け位置を簡便かつ正確に墨打ちすることができる。
【００２４】
起立板部１３は、破風下地板４の野地板側に位置する一面４ｃと平行な面から構成されており、収納部１２の側板部１２ｂを鉛直下向きに延伸した板状の部材である。起立板部１３は、軒棟方向と直交する方向に、対向する一対の端縁１３ｂを有しており、この両端縁１３ｂに墨打ちするための基準ガイド１３ａを有する。
【００２５】
起立板部１３の高さ方向における基準ガイド１３ａの位置は、例えば、棟覆い部材５の棟側の下端部の長さや、棟覆い部材５に設けられる固定具挿通用の貫通孔の位置等に応じて、あらかじめ決定される。
【００２６】
基準ガイド１３ａの形状としては、特に制限はなく、例えば、図２に示すくさび形の切欠きの他、半円形や一辺を欠いた矩形状の切欠き等が例示される。
【００２７】
また、基準ガイド１３ａの形状としては、スリット状のものも例示される。基準ガイド１３ａの形状がスリット状である場合、すでに墨打ちした墨打ち線の視認性が良好であり、墨打ち線の付け忘れ防止に有効である。しかも一度の墨打ち作業で、スリットの長手方向の長さに応じた墨打ち線を、直接破風下地板４に墨打ちすることが可能となる。このため、墨打ち作業の作業効率を高めることが可能である。
【００２８】
このような墨打ち治具１では、基準ガイド１３ａの位置に対応する破風下地板４にスポット状に墨打ちした後、墨打ち治具１を移動させて、異なる箇所に墨打ちすることができる。墨打ち治具１を移動させる際には、例えば、一旦、墨打ち治具１を鉛直上向きに引き上げて破風下地板４より取り外し、破風下地板４の長手方向の任意の箇所の上端部４ａに、墨打ち治具１を差し込み直すことが例示される。
【００２９】
あるいは、破風下地板４に差し込んだ墨打ち治具１を、破風下地板４から取り外すことなく、破風下地板４の長手方向にスライド移動させて、再度スポット状に墨打ちを行うことができる。
【００３０】
このように、墨打ち治具１を移動させることにより、図２に示したように、破線状の墨打ち線を正確かつ容易に破風下地板４に墨打ちすることができる。
【００３１】
この他にも、墨打ちの方法としては、破風下地板４の任意の複数個所にスポット状に墨打ちした後、これらのスポット状の墨打ちに基づき、公知の墨つぼ等を用いて一気に破風下地板４の長手方向の全長に亘って、水平方向における寸法誤差の少ない墨打ち線を打つこともできる。
【００３２】
棟覆い部材５としては、例えば、棟換気構造、棟包み構造や、けらば水切り等が例示される。このような棟覆い部材５は、墨打ち治具１によって破風下地板４に墨打ちされた墨打ち線を基準として、ビスや釘等の固定具等を用いて破風下地板４に固定される。破風下地板４に前記破風板が取り付けられている場合、この破風板を貫通し、固定具が破風下地板４にまで達するように固定される。
【００３３】
片流れ屋根２では、棟木６に架け渡された垂木７の野地板３とは反対側に位置する一面７ａが、破風下地板４の野地板側に位置する一面４ｃに当接されており、垂木７の上端面７ｂに野地板３が敷設される。破風下地板４の上端部４ａは、片流れ屋根２の棟側端部２ａに対して鉛直上方に延び、かつ片流れ屋根２を形成する野地板３の表面３ａより上方に突出している。図１に示すように、破風下地板４の上端部４ａが、野地板３の表面３ａより上方に突出している長さＬは、当接板部１１と収納部１２の対向する一対の側板部１２ａの交点から、水平面部１２ｃまでの高さＨ以内に配置されることが考慮される。長さＬが、高さＨ以内に配置されれば、収納部１２の対向する一対の側板部１２ａ、１２ｂに加えて、当接板部１１が野地板３の表面３ａまたは野地板３の上面に設けられる保護シート３ｂの表面と常に当接することができ、墨打ち治具１の取付けが確実なものとなる。なお、長さＬと高さＨの値が近づくほど、破風下地板４の上端部４ａと、収納部１２の水面部１２ｃの裏側との間には、ごくわずかなクリアランスを残し、密着した状態となる。
【００３４】
以下に、墨打ち治具１を用いた本発明の墨打ち方法の一実施形態について、図面に基づいて詳細に説明する。
【００３５】
図３に示すように、図１、２の墨打ち治具１を用いた本発明の墨打ち方法の一実施形態では、墨打ち治具１の収納部１２を破風下地板４の上端部４ａに差し込み、当接板部１１の裏面１１ａと野地板３の表面３ａまたは保護シート３ｂの表面とを当接させる。さらに、墨打ち方法は、起立板部１３の表面と破風下地板４における野地板３とは反対側に位置する一面４ｂとを当接させて配置する。次いで、起立板部１３の一対の対向する端縁１３ｂに設けられた基準ガイド位置１３ａに破風下地板４に墨打ちすることを特徴としている。
【００３６】
図３中に矢印で示したように、墨打ち治具１を、破風下地板４の上端部４ａに差し込み、当接板部１１の裏面１１ａと野地板３の表面３ａまたは保護シート３ｂの表面とが当接すると、墨打ち治具１はそれ以上鉛直方向下向きに移動することはなく、安定する。
【００３７】
また、当接板部１１の裏面１１ａと野地板３の表面３ａまたは保護シート３ｂの表面とを当接させ、かつ起立板部１３の表面と破風下地板４における野地板３とは反対側に位置する一面４ｂとを当接させて、破風下地板４に墨打ち治具１を取り付ける。これにより、収納部１２の側板部１２ａと起立板部１３とが破風下地板４の野地板側に位置する一面４ｃおよび野地板とは反対側に位置する一面４ｂに当接して破風下地板４を前後から挟持することができる。
【００３８】
続いて、起立板部１３の対向する端縁１３ｂに設けられた基準ガイド１３ａの位置に、破風下地板４に２点墨打ちする。そして、墨打ちした箇所から墨打ち治具１を移動させて、墨打ちされていない破風下地板４の異なる箇所にも同様に墨打ちする。
【００３９】
墨打ち治具１を移動させる際には、前記のとおり、例えば、一旦、墨打ち治具１を鉛直上向きに引き上げて破風下地板４より取り外し、破風下地板４の長手方向の任意の箇所の上端部４ａに、墨打ち治具１を差し込み直すことが例示される。
【００４０】
あるいは、破風下地板４に差し込んだ墨打ち治具１を、破風下地板４から取り外すことなく、破風下地板４の長手方向にスライド移動させて、再度スポット状に墨打ちを行うことができる。
【００４１】
この作業を繰り返すことによって、破風下地板４の全長に亘って、容易に水平方向における寸法誤差の少ない墨打ち線を打つことができる。
【００４２】
あるいは、破風下地板４の任意の複数個所にスポット状に墨打ちした後、これらのスポット状の墨打ちに基づき、公知の墨つぼ等を用いて一気に破風下地板４の長手方向の全長に亘って、水平方向における寸法誤差の少ない墨打ち線を打つこともできる。
【００４３】
上記のように、破風下地板４に墨打ちした後、墨打ち治具１を鉛直上向きに引き上げて破風下地板４の上端部４ａより取り外し、野地板３の表面３ａまたは保護シート３ｂの表面に屋根材を敷設して固定する。そして、破風下地板４に墨打ちされた墨打ち線に基づいて、破風板や棟覆い部材５をビスや釘等の固定具を用いて取り付け、固定する。
【００４４】
棟覆い部材５の固定位置の決定方法としては、例えば、棟覆い部材５の下端部と墨打ち線とを揃えたり、棟覆い部材５に設けられる固定具挿通用の貫通孔と墨打ち線とが重なる位置で固定する方法等が例示される。
【００４５】
棟覆い部材５の取り付け作業後は、従来公知の方法により、屋根の施工作業の仕上げを行うことが好ましく考慮される。
【００４６】
以上のように、本発明を図面に示す実施形態に基づいて説明したが、本発明は上記の実施形態に限定されるものではなく、適宜の設計変更が可能である。例えば、野地板３の表面３ａにアスファルトルーフィング等の防水シート３ｂが設けられる場合には、当接板部１１の裏面１１ａと防水シート３ｂの表面とを当接させ、かつ起立板部１３の表面と破風下地板４における野地板３とは反対側に位置する一面４ｂとを当接させる。そして、破風下地板４に墨打ち治具１を取り付けるようにする。
【符号の説明】
【００４７】
１  墨打ち治具
１１  当接板部
１１ａ  裏面
１２  収納部
１２ａ、１２ｂ  側板部
１３  起立板部
１３ａ  基準ガイド
１３ｂ  端縁
２  片流れ屋根
２ａ  棟側端部
３  野地板
３ａ  表面
３ｂ  保護シート
３ｃ  棟側端
４  破風下地板
４ａ  上端部
４ｂ  野地板とは反対側に位置する一面
５  棟覆い部材
【図１】
2018017013.tif 000003
【図２】
2018017013.tif 000004
【図３】
2018017013.tif 000005